(57)【要約】【課題】ダンプカーの荷台の床板の下面の下方に、中継搬送機のホッパを差し込むことができないときにおいても、中継搬送機のホッパが、ダンプカーの荷台後端縁の放出口から排出される籾を、受け入れるようにする手段を構成する。【解決手段】ダンプカーＢの荷台５の後端部に、荷台５の床板５ａの後端から後方に突出して床板５ａを後方に延長せしめる延長床板Ｆを、後框５１が後方に回動して荷台５の後端側の放出口５０を開放せしめた状態時に荷台５の床板５ａの後端から後方に突出してくるよう構成して組み付け装備せしめる。【選択図】図７
2015168296.tif 000002
【特許請求の範囲】
【請求項１】
ダンプカー（Ｂ）の荷台（５）の後端部に、荷台（５）の床板（５ａ）の後端から後方に突出して床板（５ａ）を後方に延長せしめる延長床板（Ｆ）を、後框（５１）が後方に回動して荷台（５）の後端側の放出口（５０）を開放せしめた状態時に荷台（５）の床板（５ａ）の後端から後方に突出してくるよう構成して組み付け装備せしめたことを特徴とする籾運搬用のダンプカーの荷台。
【請求項２】
ダンプカー（Ｂ）の荷台（５）の後端部に、荷台（５）の床板（５ａ）の後端から後方に突出して床板（５ａ）を後方に延長せしめる延長床板（Ｆ）を、後框（５１）が荷台（５）の後端側の放出口（５０）を閉塞している状態時には荷台（５）内に格納され、後框（５１）が後方に回動して荷台（５）の後端側の放出口（５０）を開放せしめた状態時に荷台（５）の床板（５ａ）の後端から後方に突出してくるよう構成して組み付け装備せしめたことを特徴とする籾運搬用のダンプカーの荷台。
【請求項３】
ダンプカー（Ｂ）の荷台（５）の床板（５ａ）の上面で、荷台（５）の後端に軸架してある後框（５１）の内面から少しの距離（Ｄ）をおいた部位に、荷台（５）を左右に横切る方向に沿う組付板（Ｐ）を組み付け、この組付板（Ｐ）の後縁部に、荷台（５）の床板（５ａ）を後方に延長せしめる延長床板（Ｆ）の基端側の端縁を、連結軸を具備するヒンジ（８１）を介し上下に回動自在に連結し、該延長床板（Ｆ）の先端側を、閉塞状態位置にある荷台（５）の後框（５１）の内面に凭れ掛けさせたことを特徴とする籾運搬用のダンプカーの荷台。
【請求項４】
前記ダンプカー（Ｂ）の荷台（５）の床板（５ａ）の上面で、荷台（５）の後端に軸架してある後框（５１）の内面から所定距離（Ｄ）をおいた部位に、荷台（５）を左右に横切る方向に沿わせて組み付ける組付板（Ｐ）を、荷台（５）の左右の側框（５２）間の内法寸法に略対応する長さの帯板状に形成して配位し、かつ、その組付板（Ｐ）の左右の端部には、側框（５２）の内面に対し圧接して一体的に結合する圧着部（Ｕ）を装備せしめ、その圧着部（Ｕ）の作動により組付板（Ｐ）を荷台（５）の左右の側框（５２）間に組み付け固定し、この組付板（Ｐ）の後縁部に、荷台（５）の床板（５ａ）を後方に延長せしめる延長床板（Ｆ）の基端側の端縁を、横軸の連結軸を具備するヒンジ（８１）を介し、上下に回動自在に連結したことを特徴とする請求項２記載の籾運搬用のダンプカーの荷台。
【発明の詳細な説明】
【技術分野】
【０００１】
本発明は、籾粒をダンプ回動する荷台内に積載して搬送するように用いる穀粒搬送用のダンプカーにおける荷台に関するものである。
【背景技術】
【０００２】
圃場において、コンバインにより立毛中の稲から収穫した籾粒は、水分の多い生籾であることから速やかに乾燥処理を行っておく必要がある。このため、圃場においてコンバインにより収穫した籾は、通常、コンバインの機体に装備されているグレインタンク内から取り出して、圃場の農道に待機しているダンプカーの荷台に積み込み、そのダンプカーの運転進行によって穀粒乾燥機が設置されている穀粒処理施設等の、乾燥処理場に運び、そこで、荷台のダンプ回動により荷台から放出させて、その処理場に用意されている中継搬送機のホッパ内に投入し、その中継搬送機の作動により、乾燥処理場に設置してある穀粒乾燥機の機体内に供給し、その穀粒乾燥機による乾燥処理を受けさせるようにしている。
【０００３】
このように、コンバインで収穫した生籾を乾燥処理するために、籾を圃場から穀粒乾燥機が設置されている施設等の乾燥処理場に運搬するように用いる穀粒搬送用のダンプカーは、基本的には、荷台のダンプ回動により、荷台の後框が開放回動することで荷台の床板の後端縁と荷台の左右の側框の後端縁とで形成される開放口（放出口）が開放し、その開放した開放口を放出口として、その放出口から、荷台内に積載した籾粒が、ダンプ回動による荷台の傾斜によって流出してくるように構成されていればよいものである。
【０００４】
しかし、この籾の搬送に用いるダンプカーは、荷台の後框の回動により、荷台の後端縁に形成される排出口から流出させる籾を、中継搬送機のホッパ内に投入して、受け継がせることから、荷台の床板の後端縁と左右の側框の後端縁とで形成される開放口により構成される放出口と、この放出口から放出されてくる籾を受け入れる中継搬送機の受入口となるホッパの上口との関係において、構成に制約がある。
【０００５】
ダンプカーは、荷台の床板の下面の対地高さが、中継搬送機のホッパの上口の口縁の対地高さより高く構成してあること、そして荷台の後端縁の後方に中継搬送機を配置して、荷台の後端縁の排出口から放出される穀粒が、中継搬送機のホッパ内に流入していくように、ダンプカーの荷台に対して中継搬送機をセットするときに、ホッパを、それの上口の荷台と対面する側の口縁が、荷台の床板の下面の下方に進入した状態とし得ることが望まれる。
【０００６】
図面に従い具体的に説明すると、図１は従前の通常の中継搬送機Ａの縦断した正面、図２は、同上の中継搬送機Ａの縦断した側面、及びダンプカーＢの後半側の側面を示す図である。
【０００７】
中継搬送機Ａは、四隅にそれぞれ立設した支柱１０と、それら支柱１０のうちの前後に対向する支柱１０と支柱１０との間に渡架した桁材１１と、左右に対向する支柱１０と支柱１０との間に渡架した梁材１２とで、前後に長い主体枠１を組み立て、その主体枠１の内部に、前後方向視において、略椀状をなすホッパ２を装架し、そのホッパ２内の底部には、該ホッパ２内に投入した籾粒を、該ホッパ２の後端側から前端側に向けて搬送するスクリューオーガー３を装架し、そのスクリューオーガー３の下周側を囲う搬送樋３０の床面の前端側に、下方に開放する開口３１を開設し、その開口３１の下方に、フレキシブルな搬送筒４０と、その搬送筒４０内に嵌装した鋼線を螺旋に成形せるバネ線のコンベア（図示省略）と、により構成せるいわゆるバネコンと呼ばれる穀粒搬送機４の基端部４ａを配位して組み付け、その基端部４ａの上面側に設けた受入口４１を前記開口３１に接続することで構成してある。そして、前記穀粒搬送機４は、前記開口３１を介し排出されてくるホッパ２内の籾粒を基端部４ａ内に受け入れ、基端部４ａに装備せる駆動軸４２をモーター（図示省略）により駆動して、前記バネ線のコンベアを回転させることで、受け入れた籾粒を搬送筒４０の先端側に向け搬送し、その搬送筒４０の先端側に設けてある先端部４ｂに開設せる吐出口４３から吐出するように構成してある。
【０００８】
この中継搬送機Ａは、それの主体枠１及びその主体枠１に装架するホッパ２の前後長さＬが、前記図１において鎖線で示しているダンプカーＢの荷台５の左右の巾寸法Ｌ１よりも長く形成してある。
【０００９】
しかして、圃場においてコンバインにより収穫して、圃場の農道に待機するダンプカーＢの荷台５に積み込み、そのダンプカーＢにより施設等の乾燥処理場まで搬送してきた籾粒を、この中継搬送機Ａで中継して搬送し、該中継搬送機Ａの穀粒搬送機４の吐出口４３から穀粒乾燥機Ｃの受入ホッパｃ内に吐出せしめて、穀粒乾燥機Ｃに供給する際は、まず、この中継搬送機Ａを、それの穀粒搬送機４の吐出口４３が、施設等の乾燥処理場に設置してある穀粒乾燥機Ｃの受入ホッパｃに対し接続・連通した状態としておく。
【００１０】
そして、該中継搬送機Ａは、それのホッパ２の四周の周壁のうちの左右の周壁２０の一方の周壁２０’が、乾燥処理場内に進入して後進走行により該中継搬送機Ａに向けて走行してくるダンプカーＢの走行路に対し、その走行路を横切る状態位置を占めるように、乾燥処理場に配置しておく。
【００１１】
これにより、籾粒を荷台５に積載して乾燥処理場に進入してきたダンプカーＢが、後進走行により、荷台５の後端部を先頭として、中継搬送機Ａに向け走行してきて、そのダンプカーＢの荷台５の後端部が、図２に示している如く、中継搬送機Ａのホッパ２の、左右の周壁２０のうちの一方の周壁でダンプカーＢと対向する側の周壁２０’を越して、ホッパ２の上口２ａの内側の上方に臨んだところで、ダンプカーＢの後進走行を停め、ダンプカーＢをその状態位置に固定し、この状態から、荷台５をダンプ回動させて、この回動により後框５１の開放回動によって開放してくる荷台５の後縁部の放出口５０から、該荷台５内に積載して搬送してきた籾粒を流出せしめると、その流出してくる籾粒が、図３において二重線の矢印に示しているように、中継搬送機Ａのホッパ２内に流れ込み、その中継搬送機Ａに受け継がれるようにする。
【００１２】
ところで、このように、ダンプカーＢの荷台５の後端部と中継搬送機Ａのホッパ２とを組み合わせて行う籾の中継作業は、ダンプカーＢの荷台５の床板５ａの下面の対地高さＨが、中継搬送機Ａのホッパ２の左右の周壁２０の上端縁部の対地高さｈより高くなっていることを前提としている。
【００１３】
ダンプカーＢが、それの荷台５の床板５ａの下面の高さＨを中継搬送機Ａのホッパ２の周壁２０の上端縁の対地高さｈより低くなるように構成されている場合には、前述したダンプカーＢの荷台５のダンプ回動によりその荷台５の後端縁の放出口５０から流出させる籾粒を、中継搬送機Ａのホッパ２内に受け継がせるのが、困難になってくる。
【００１４】
即ち、上述の場合には、ダンプカーＢの後退走行により、荷台５の後端部が、中継搬送機Ａのホッパ２の左右の周壁２０のうちの荷台５の後端部と対面する一方の周壁２０’の上端縁部に達するまで後退移動してくると、そこで図４に示している如く、ホッパ２の前記一方の周壁２０’の外面に突き当たって当接し、以後の後退移動でホッパ２及び該ホッパ２が装架してある主体枠１を荷台５の移動方向に押し出し、中継搬送機Ａを転倒させるようになる。このため、ダンプカーＢの後退走行は、荷台５の後端部がホッパ２の前記一方の周壁２０’の外面に当接したところで停め、その状態位置にダンプカーＢを固定し、中継搬送機Ａとの関係を、前記図４に示している如く、ダンプカーＢの荷台５の後端部の後方に中継搬送機Ａのホッパ２が隣接して位置する態様とし、この状態において、荷台５をダンプ回動させて、荷台５後端の放出口５０から籾を流出させ、ホッパ２内に流し込み、受け継がせるようにすることを余儀なくされる。
【００１５】
この場合は、ホッパ２の前記一方の周壁２０’の上端縁部の外面が、荷台５の後端縁に隣接していることで、荷台５をダンプ回動させることにより開放してくる放出口５０の実質的に籾を放出する放出位置となる床板５ａの後端縁の位置が、周壁２０’の上端縁部の上方に位置してくるようになることから、放出口５０から流出する籾が、ホッパ２内に流れ込んでいくときに、図５において矢印イにて示している如く、ホッパ２の外部に逸出していく籾を多く生ぜしめ、適確な受け継ぎが行えないようになる。
【００１６】
この対策として、中継搬送機Ａは、それのホッパ２の左右の周壁２０のうちの、ダンプカーＢの荷台５の後端部と対面する側の周壁２０’を、柔軟なシートＳまたは布地で成形して、変形自在に構成しておき、ダンプカーＢが、それの荷台５の床板５ａの下面の対地高さを中継搬送機Ａの機高より低くした形態に構成してある場合には、中継搬送機Ａは、それの機体を前述の図４にあるようにダンプカーＢの荷台５の後端縁に隣接する状態位置に保持せしめておいて、前述の柔軟なシートＳまたは布地により変形可能に構成した周壁２０’を変形させて、図６に示している如く、上端縁を荷台５の床板５ａの後面に当接させ、その周壁２０’の上端縁に設けた係止部材よりなる係止手段、または、該周壁２０’の上端縁に付設したゴム紐等の弾性材よりなる締着手段により、該周壁２０’の上端縁部を、荷台５の床板５ａの後面に対し係着または締着して、前記図６にあるように、荷台５の後端縁部に形成される放出口５０の下方を該周壁２０’で囲い込み、放出口５０から流出してくる籾がホッパ２外へ散逸するのを防止する手段が試みられている。
【００１７】
しかし、この手段は、ダンプカーＢの荷台５から中継搬送機Ａのホッパ２内への籾の投入が終了して、ダンプカーＢが施設等から退去していくとき、柔軟なシートＳまたは布地よりなる周壁２０’の上縁部と荷台５の床板５ａの下面との、係着または締着の解除を忘れるか、または、解除が不完全な場合に、退去していくダンプカーＢの荷台５によって、柔軟なシートＳまたは布地で成形した周壁２０’が引きずられ、それにより中継搬送機Ａを転倒させる事故を起こす問題が生じてくる。
【発明の概要】
【発明が解決しようとする課題】
【００１８】
本発明は、上述した如く、ダンプカーＢが、それの荷台５の床板５ａの下面の対地高さＨを、中継搬送機Ａのホッパ２の周壁２０の上端縁部の対地高さｈより低くした形態のものに構成してあって、ダンプカーＢの荷台５の後端部の後方に中継搬送機Ａを配置して、荷台５の床板５ａの後端縁から放出される籾粒をホッパ２内に受け入れるように、ダンプカーＢの荷台５に対し中継搬送機Ａを組み合わせる際に、中継搬送機Ａを、それのホッパ２がダンプカーＢの荷台５の後端部と当接するまでしか近づけられない場合に生じてくる籾の受け継ぎの不具合を解消せしめるためになされたものであって、ダンプカーＢの荷台５の床板５ａの下面の対地高さが低く、その荷台５の床板５ａの下面の下方に、中継搬送機Ａのホッパ２を挿し込むことができないときにおいても、中継搬送機Ａのホッパ２が、ダンプカーＢの荷台５後端縁の放出口５０から排出される籾を、適確に受け入れるようにする手段の提供を課題とする発明である。
【課題を解決するための手段】
【００１９】
そして、本発明においては、上述の課題を解決するための手段として、ダンプカーＢの荷台５の後端部に、荷台５の床板５ａの後端から後方に突出して床板５ａを後方に延長せしめる延長床板Ｆを、後框５１が後方に回動して荷台５の後端側の放出口５０を開放せしめた状態時に荷台５の床板５ａの後端から後方に突出してくるよう構成して組み付け装備せしめたことを特徴とする籾運搬用のダンプカーの荷台を提起し、また、これに併せて、
ダンプカーＢの荷台５の後端部に、荷台５の床板５ａの後端から後方に突出して床板５ａを後方に延長せしめる延長床板Ｆを、後框５１が荷台５の後端側の放出口５０を閉塞している状態時には荷台５内に格納され、後框５１が後方に回動して荷台５の後端側の放出口５０を開放せしめた状態時に荷台５の床板５ａの後端から後方に突出してくるよう構成して組み付け装備せしめたことを特徴とする籾運搬用のダンプカーの荷台を提起し、また、これに併せて、
ダンプカーＢの荷台５の床板５ａの上面で、荷台５の後端に軸架してある後框５１の内面から少しの距離Ｄをおいた部位に、荷台５を左右に横切る方向に沿う組付板Ｐを組み付け、この組付板Ｐの後縁部に、荷台５の床板５ａを後方に延長せしめる延長床板Ｆの基端側の端縁を、連結軸を具備するヒンジ８１を介し上下に回動自在に連結し、該延長床板Ｆの先端側を、閉塞状態位置にある荷台５の後框５１の内面に凭れ掛けさせたことを特徴とする籾運搬用のダンプカーの荷台を提起し、さらに、
前記ダンプカーＢの荷台５の床板５ａの上面で、荷台５の後端に軸架してある後框５１の内面から所定距離Ｄをおいた部位に、荷台５を左右に横切る方向に沿わせて組み付ける組付板Ｐを、荷台５の左右の側框５２間の内法寸法に略対応する長さの帯板状に形成して配位し、かつ、その組付板Ｐの左右の端部には、側框５２の内面に対し圧接して一体的に結合する圧着部Ｕを装備せしめ、その圧着部Ｕの作動により組付板Ｐを荷台５の左右の側框５２間に組み付け固定し、この組付板Ｐの後縁部に、荷台５の床板５ａを後方に延長せしめる延長床板Ｆの基端側の端縁を、横軸の連結軸を具備するヒンジ８１を介し、上下に回動自在に連結したことを特徴とする籾運搬用のダンプカーの荷台を提起するものである。
【発明の効果】
【００２０】
本発明手段は、ダンプカーの荷台の後端部に、荷台５の床板５ａを後方に延長する延長床板Ｆを、荷台５の後端部に対し、一体的に、または装脱自在に組み付けることで、荷台５の左右の側框５２の後端縁と床板５ａの後端縁とからなる開放口をもって形成する放出口５０の、実質的に籾粒を放出する放出口となる開口縁の位置を、荷台５の後端部の後面よりも後方に変位移動させ、籾粒の放出が、荷台５の後端部の後面から後方に離れた位置において行われるようにしているのだから、荷台５をダンプ回動させて、該荷台５に対しセットせしめた中継搬送機Ａのホッパ２内に向け、荷台５内の籾粒を放出していくとき、その籾粒の放出が、ホッパ２の内部において行えるようになって、籾粒を適確にホッパ２内に投入していけるようになる。
【図面の簡単な説明】
【００２１】
【図１】従前の中継搬送機の、縦断正面図である。
【図２】同上中継搬送機の、ダンプカーの荷台の後端部に対しセットした状態を説明する一部縦断した側面図である。
【図３】同上中継搬送機の、同上の状態から、ダンプカーの荷台をダンプ回動させて、荷台内の籾粒を、中継搬送機のホッパ内に放出させている状態を説明する同上中継搬送機の一部縦断した側面図である。
【図４】同上中継搬送機を、荷台の床板の下面の対地高さが低くなっている構成のダンプカーにセットした状態を説明する同上中継搬送機の一部縦断した側面図である。
【図５】同上状態の中継搬送機に対し、ダンプカーの荷台をダンプ回動させて、籾粒を投入している状態を説明する一部縦断した側面図である。
【図６】中継搬送機のホッパの周壁で、ダンプカーの荷台の後端部の後面に対して対面する側の周壁を、柔軟なシートまたは布地で形成して屈曲変形を自在とし、この周壁の変形により、中継搬送機をダンプカーの荷台の後端部の後面に近接させてセットした状態を説明する中継搬送機の一部縦断した側面図である。
【図７】本発明手段を実施せるダンプカーの荷台の、中継搬送機をセットした状態時の縦断側面図である。
【図８】同上のダンプカーの荷台の、後框が閉塞回動している状態時における縦断側面図である。
【図９】同上のダンプカーの荷台の、後框が開放回動している状態時における縦断側面図である。
【図１０】同上のダンプカーの荷台の、中継搬送機をセットした状態時において、荷台をダンプ回動させた状態時の縦断側面図である。
【図１１】同上ダンプカーの荷台の、積載した籾粒を放出する直前の状態時における縦断側面図である。
【図１２】同上のダンプカーの荷台が、ダンプ回動の作動を開始にして、積載している籾粒の放出作動を開始した状態時の縦断側面図である。
【図１３】同上のダンプカーの荷台の、ダンプ回動がさらに進んで、籾粒の放出作動がさらに進行した状態時の縦断側面図である。
【図１４】本発明手段の第２の実施例装置の縦断側面図で、荷台の後框が閉塞している状態時における縦断側面図である。
【図１５】同上実施例装置の、荷台のダンプ回動により荷台の後框が開放回動した状態時における縦断側面図である。
【図１６】同上実施例装置の、同上状態時における一部縦断した後面図である。
【図１７】同上実施例装置に用いる延長床板及び組付板の斜視図である。
【図１８】同上実施例装置に用いる延長床板及び組付板であって、組付板には、長手方向の一方の端部に、荷台の左右の側框のうちの一方の側框の内面に対して圧接していく圧接部を頭部に具備する螺子軸が設けられている例の縦断側面図である。
【発明を実施するための形態】
【００２２】
次に本発明手段の実施の態様を、実施例につき、図面に従い詳述する。
【実施例１】
【００２３】
図７は、本発明手段を実施せるダンプカーの荷台の後半側の一部縦断した側面視の図とダンプカーに組み合わせて用いる中継搬送機の縦断した後面視の図であり、この図７において、符号Ｂはダンプカーの全体、５は同上ダンプカーＢの荷台、ＡはダンプカーＢの荷台５の後端部の後方に配置した中継搬送機、２は同上中継搬送機のホッパを示している。
【００２４】
ダンプカーＢは、上記図７においては、前半側を省略して後半側だけを示しているが、その図面上省略している前半側に、エンジン、動力伝導装置、油圧装置、操縦装置等が装備され、後半側に荷台５が、前記エンジンにより駆動される油圧機構の作動により、該ダンプカーＢの車体ｂの後端部に設けた支点軸６０中心に回動して、ダンプ作動を行うように装架してある構成の通常のダンプカーである。
【００２５】
そして、車体ｂの後半側に装架せる前記荷台５は、台盤状に形成した床板５ａと、その床板５ａの左右の側縁部に設ける左右の側框５２と、床板５ａの前端縁部に設ける前框（図示省略）と、床板５ａの後端縁部に設ける後框５１とで、平箱状に形成してあり、また、該荷台５の後框５１は、それの左右の端部の上端部にそれぞれ設けた支持アーム５１ａが、床板５ａに対し固定して設けられている左右の側框５２・５２のそれぞれの後端部の上面に突起状に設けている軸支部材５３に、連結軸５４を介して連結していて、これにより、該後框５１は、荷台５が水平な状態時には、左右の側框５２・５２の後端縁と床板５ａの後端縁とで形成される平箱状の荷台５の後方の開放口５０を、閉塞する状態位置を占め、荷台５が後方にダンプ回動したときには、該後框５１自体の重量により、前記連結軸５４中心に後方に回動して前述の開放口を開放し、この開放口を放出口５０として、荷台５内の籾粒を放出するようにしてある。
【００２６】
そして、このときの、放出口５０からの籾粒の放出は、床板５ａの後端縁を、実質的な放出位置としてこの位置において行われるようにしてある。しかして、後框５１の下端部と床板５ａの後端部との間には、図８及び図９に示している如く、荷台５が水平な状態姿勢のときには、後框５１の下端に設けた係合部５１ｂに係止部７０が係合して後框５１を閉塞位置に保持し、荷台５がダンプ回動すると、係合が解除されて後框５１を連結軸５４中心に自在回動する状態とする係止手段７が設けてある。
【００２７】
係止手段７は、荷台５が水平な状態となっているときに、後框５１を閉塞状態位置に保持せしめるようになっていればよく、適宜構成してよいものであるが、この実施例においては、荷台５の床板５ａの後端側に寄る部位に設けた支点ｐに、後端側には後框５１に設けた係合部５１ｂに対し係脱自在に係合する係止部７０を形設し、前端側にはダンプカーＢの車体ｂに固定装設せる支承部７１に対し離接自在に衝合する衝合部７２を形設した回動レバー７ａの前後の中間部を、その回動レバー７ａが該支点ｐ中心に上下に揺動回動するように軸架し、この回動レバー７ａと前記荷台５の床板５ａとの間に、該回動レバー７ａの前端部の衝合部７２が支承部７１に衝合している状態に保持するよう付勢するバネ７３を設けることで構成してあり、これにより荷台５が水平な状態姿勢にあるときは、回動レバー７ａが略水平な姿勢に保持されることで、後端の係止部７０が、閉塞位置にある後框５１の下端の係合部５１ｂと係合した位置に保持されて、後框５１を閉塞位置に保持せしめ、また、荷台５をダンプ回動させたときは、支点ｐが床板５ａと共に上昇することで、回動レバー７ａが、支承部７１に衝合する衝合部７２を回動支点として上向き回動することにより、後端部に設けた係止部７０が上昇して、係合部５１ｂから上方に離れ、係合を解放した状態となって、後框５１を連結軸５４中心に自在に回動する状態とするように構成してある。
【００２８】
しかし、このダンプカーＢは、コンバインで収穫した籾を、施設等の乾燥処理場に設置されている穀粒乾燥機に対して供給するための籾の搬送作業に用いる際に、組み合わせて用いる中継搬送機Ａとの関係においては、荷台５の床板５ａの下面の対地高さＨを、中継搬送機Ａのホッパ２の左右の周壁２０の上端縁部の対地高さｈより低くした構成となっている。
【００２９】
中継搬送機Ａは、図１及び図２で示している中継搬送機Ａと同様に、四隅に立設せる四本の支柱１０と、それら支柱１０のうちの、前後に対向する支柱１０と支柱１０との間に渡架せる桁材１１と、左右に対向する支柱１０と支柱１０との間に渡架する梁材１２とで、前後に長い主体枠１を組み立て、この主体枠１の内部に、左右の中心部に向け傾斜する左右の底壁２１・２１と、それら底壁２１・２１の各外端部から立ち上がる左右の周壁２０・２０と、前後の周壁２２・２２とで、前後方向視において略椀状をなすよう組み立てたホッパ２を装架し、そのホッパ２内の底部には、該ホッパ２内に投入される籾粒を、前端側から後端側に向けて搬送するスクリューオーガー３を軸架し、ホッパ２の底部の下方には、図７にては、図示を省略しているが、フレキシブルな搬送筒４０の内部に、鋼線を螺旋状に成形したバネコンベアを嵌挿して構成せるいわゆるバネコンと呼ばれる穀粒搬送機４の基端部４ａを組み付け、その基端部４ａの上面側に設けた受入口４１を、前記スクリューオーガー３の搬送方向の終端側に位置せしめてホッパ２の底壁に開設した開口３１に接続し、これにより、ダンプカーＢの荷台５の放出口５０から放出される籾をホッパ２内に受け入れ、受け入れた籾をスクリューオーガー３で前端側に搬送して、開口３１から排出させ、この開口３１から排出される籾粒を穀粒搬送機４の基端部４ａ内に受け入れ、その基端部４ａから延出する搬送筒４０とその搬送筒４０内のバネコンベアにより、搬送筒４０の先端側に向け搬送し、先端部４ｂに設けた吐出口４３から吐出するように構成してあることについては、通常の中継搬送機と変わりがないものである。
【００３０】
しかし、この中継搬送機Ａは、それのホッパ２に受け継ぐ籾粒を運搬してくるダンプカーＢが、それの荷台５の床面５ａの下面の対地高さＨを、通常の中継搬送機Ａのホッパ２の左右の周壁２０・２０の上縁部の対地高さｈより低くした構成となっている場合を前提として構成してある。
【００３１】
即ち、ダンプカーＢが後退走行により荷台５の後端部を、中継搬送機Ａのホッパ２の周壁に向けて寄せてきたときに、その荷台５の後端部が、ホッパ２の周壁の外面に突き当たるようになることを予定して、このようになった場合の対策として、ホッパ２の左右の周壁２０・２０のうちの、ダンプカーＢの荷台５の後端部に対し対向する側の周壁２０’を、柔軟なシートＳまたは布地により屈曲変形が自在に形成して、下縁側はホッパ２の底壁２１の端縁部に接合させて接続し、上縁側は、上縁部に沿わせて付設するゴム紐またはロープ（図示省略）を、ホッパ２の前後の周壁２２間に張架することで、所定の状態位置に保持させておき、前述した如く、荷台５の後端部が周壁２０’の上端部の外面に衝合する状態となったときは、ゴム紐、ロープなどの緊張を緩めて、柔軟なシートＳよりなる周壁２０’を変形させ、これにより、荷台５の後端部を中継搬送機Ａに対し図１０に示している如くさらに近接させるとともに、変形させた周壁２０’の上端縁部を、荷台５の床板５ａの後端部の後面に当接し、その周壁２０’の上縁部に付設しておく係止片（図示省略）を前記床板５ａの後端面に設けられている突起部に係止するか、前記ゴム紐またはロープを緊張することで、周壁２０’の上端縁部を床板５ａの後端部の後面に接着させた状態とし、これにより、荷台５の後框５１の開放回動で開放してくる荷台５の後端の放出口５０の下方を、図１１で示している如く、この周壁２０’で囲い込むようにしてある。
【００３２】
再び図７において、Ｆは荷台５の後端部に、該荷台５の床板５ａを後方に延長せしめるように組み付け装備せしめた延長床板、Ｐはその延長床板Ｆを荷台５の床板５ａに対し組み付けるための組付板を示す。
【００３３】
この延長座板Ｆは、荷台５をダンプ回動させて、荷台５の床板５ａを後方に傾斜させるとともに、荷台５の後端部に軸支してある後框５１を開放回動させ、荷台５の左右の側框５２の後端縁と床板５ａの後端縁とで形成している荷台５の後端の開放口５０を開放し、この開放した開放口を放出口５０として、荷台５内に積載している籾粒を、荷台５の後方に放出する際において、放出口５０の、籾粒を実質的に放出する放出位置となる放出口５０の開口位置を、荷台５の後端部の後面より後方に変位移動させるためのものである。
【００３４】
荷台５のダンプ回動により後框５１を開放回動させて荷台５の後端側に形成してある開放口を開放し、この開放口を放出口５０として、荷台５内に積載している籾粒を、その放出口５０から放出させるときの、その放出口５０の開口位置は、籾粒放出が、放出口５０の口縁である床板５ａの後端縁から離れることで行われることから、実質的には、床板５ａの後端縁が放出口５０の開口縁となり、この床板５ａの後端縁の位置が放出口５０の開口位置となる。
【００３５】
床板５ａを後方に延長するように荷台５の後端部に組み付け装備せしめる延長床板Ｆは、上述の如く組み付けることで、荷台５内を流動する籾粒が、延長床板Ｆの上面に沿い該延長床板Ｆの後端縁にまで流れ、そこから放出されるようにして、籾粒の放出が、延長床板Ｆの後端縁において行われるようにして、放出口５０の実質的な開口縁を、この延長床板Ｆの後端縁に切り替えて、放出口５０の実質的な開口位置５０’を延長床板Ｆの後端縁の位置まで後方に移動変位させ、これにより、籾粒を放出する実質的な放出口５０が、荷台５の後端部の後面から、延長床板Ｆの延長した長さに対応する距離だけ後方に突出する位置を占めるようにする。
【００３６】
そして、中継搬送機Ａを、ダンプカーＢの荷台５の後端部の後方に配置して、それのホッパ２の周壁２０’の外面を荷台５の後端部の後面に突き当て、ダンプカーＢに対しセットしたときに、前記図１１に示しているように、実質的な放出口５０が、ホッパ２の前記荷台５の後端部の後面に対向する側の周壁２０’の上端縁を越して、ホッパ２の上口２ａからホッパ２内に突入した状態位置を占め、放出する籾粒が、図１２・図１３に示している如く適確にホッパ２内に投入されていくようにしてある。
【００３７】
延長床板Ｆは、このように荷台５の後端部への組み付けによって、荷台５の後端側の設けられる放出口５０の、実質的に籾粒を放出する放出口となる開口縁を後方に移動させ、放出口５０の開口縁が、荷台５の後端部の後面から後方に突出した位置を占めるようにするためのものであり、実質的な放出口となる該放出口の開口縁を上述の如く構成できればよく、構造・形状は適宜に構成してよいものであるが、図７乃至図１３に示している実施例においては、左右方向の長さが、荷台５の左右の側框５２と側框５２との間の内法寸法に略対応する長さで、前後の巾が、後框５１の高さ寸法の略半分の巾寸法となる略長方形の板部材８０に形成してある。
【００３８】
そして、板部材８０に形成した延長床板Ｆは、板部材８０の前縁側に設けたヒンジ８１を介し組付板Ｐの後縁側に対し上下に回動自在に連結し、組付板Ｐを荷台５の床板５ａ上に組み付けることで、その組付板Ｐを介し荷台５の床板５ａの上面側に、前記ヒンジ８１の連結軸（図示省略）中心に上下に回動自在に組み付けてある。また、組付板Ｐと延長床板Ｆ（板部材８０）との間には、延長床板Ｆを、図８において、時計回りに回動するよう付勢するバネ材を設けておく場合がある。
【００３９】
このときの、組付板Ｐの荷台５の床板５ａ上面に対する組み付け位置は、組付板Ｐの後縁側と延長床板Ｆである板部材８０の前縁側との間に設けられるヒンジ８１が、図８に示している如く、荷台５の後框５１の内面から前方に少し寄る位置を占めるように設定してあり、これにより、延長床板Ｆ（板部材８０）は、後框５１が閉塞位置にある状態時にあっては、図８に示している如く、後框５１の内面に凭れた状態姿勢になって荷台５内に格納された状態に保持され、後框５１が開放回動したときは、図９に示している如く、ヒンジ８１の連結軸中心に後方に回動し、該延長床板Ｆの基端側の下面が、荷台５の床板５ａの上面に衝合してストップすることで、該延長床板Ｆの先端側の延長端部を、前記図９にあるように、荷台５の後端部の後面から後方に突出させた状態となるようにしてある。
【実施例２】
【００４０】
図１４乃至図１８は別の実施例を示している。この例は、延長床板Ｆを、左右の長さを荷台５の左右の側框５２と側框５２との間隔幅に略対応させ、前後の巾を、後框５１の高さ寸法の略半分の巾寸法とした板部材８０に形成し、この板部材８０の前縁側を、荷台５の床板５ａに対し組み付ける組付板Ｐの後縁側に、左右方向に沿う横軸を連結軸とするヒンジ８１を介し上下に回動自在に連結しておきて、その組付板Ｐを、荷台５の床板５ａに対し、装脱自在に、または一体的に組み付けることで、延長床板Ｆを、組付板Ｐにヒンジ８１を介し回動自在とした状態において荷台５の後端部に組み付け装備せしめることについては、前述した図７乃至図１３で示している実施例のものと変わりがなく、また、延長床板Ｆの荷台５の後端部に対する組み付けにより、荷台５の後端部に設けられている放出口５０の、実質的に籾粒を放出する放出位置となる放出口５０の開口位置を、荷台５の後端部の後面から後方に、延長床板Ｆの延長長さに対応する距離だけ変位移動させて、実質的な放出口５０の開口位置が、荷台５の後端部の後面から後方に突出した位置を占め、籾粒の放出がこの変位した開口位置において行われるようにすることについても、前述した図７乃至図１３に示している実施例装置のものと変わりがない。
【００４１】
しかし、この例においては、延長床板Ｆを形成する長方形の板部材８０の長手方向の端部となる左右の両端部には、その両端部のそれぞれの端部からそれぞれ左右の側框５２の内面に沿っていた部材８０に対し略直角に立ち上がる袖壁８２が、それぞれ装設してある。
【００４２】
この板部材８０の両端部にそれぞれ設けた左右の袖壁８２は、延長床板Ｆを形成する板部材８０が、荷台５内に格納された状態にあるときは、荷台５の左右の側框５２のそれぞれの内面に沿い重合した状態位置にあって、機能することはないが、板部材８０が、荷台５の後端部の後面から後方に突出して床板５ａを後方に延長せしめる状態となったときは、荷台５の左右の側框５２の各後端側を、後方に延長するように機能して、荷台５の後端部に左右の側框５２の後端縁と床板５ａの後端縁とで形成する放出口５０ごと後方に延出させた状態として、籾粒を放出する放出口５０の開口位置を後方に変位移動させた状態とするので、放出口５０から放出される籾粒のホッパ２内への投入を、一層適確にする。
【００４３】
なお、組付板Ｐは、延長床板Ｆを荷台５の後端部に対し組み付けるための組付座板であって、適宜の形状に構成してよく、また、荷台５の後端部に対する組み付けも、溶接または鋲止めによる一体的な組み付けでもよいものである。
【００４４】
しかし、この実施例装置における組付板Ｐは、鋼板などの板部材を、荷台５の内法の巾寸法に対応する長さの帯板状に板どりして、剛体の帯板９０を形成し、それの長手方向の一端側のこぐちを、荷台５の左右の側框５２のうちの一方の側框５２の内面に接合し、帯板の他方の端部には、内周側に雌ネジを設けた螺子筒９１を固定して装設し、この螺子筒９１に、頭部に圧着部Ｕを設けた螺子軸９３を、正または逆の回転により、頭部の圧接部９２が、帯板９０の長手方向に進退するように螺合しておいて、その螺子軸９３の頭部を、他方の側框５２の内面に突き当て、その状態で螺子軸９３を回転させて、頭部の圧着部Ｕを、他方の側框５２の内面に在着せしめて、帯板９０を、左右の側框５２間に渡架した状態として一体的にかしめ付けることで、荷台５の後端部に組み付けるようにしてある。この組付板Ｐの荷台５の後端部に対する組み付けの手段は、荷台５の後端部に何らの加工を施すことなく、組付板Ｐの組み付けが行え、しかも着脱が自在に組み付けられるようになる。
【符号の説明】
【００４５】
Ａ    中継搬送機
Ｂ    ダンプカー
Ｃ    穀粒乾燥機
Ｄ    床板５ａの上面の後框５１の内面からの距離
Ｆ    延長床板
Ｈ    ダンプカーの床面下面の高さ
Ｌ    前後長さ
Ｌ１  左右の巾寸法
Ｐ    組付板
Ｓ    柔軟なシート
Ｕ    圧着部
ｂ    車体
ｃ    受入ホッパ
ｈ    中継搬送機Ａの周壁の高さ
ｐ    支点
１    主体枠
２    ホッパ
２ａ  ホッパ２の上口
３    スクリューオーガー
４    穀粒搬送機
４ａ  基端部
４ｂ  先端部
５    荷台
５ａ  荷台５の床板
７    係止手段
７ａ  回動レバー
１０    支柱
１１    桁材
１２    梁材
２０    左右の周壁
２０’  荷台５と対面する側の一方の周壁周壁
２１    底壁
２２    前後の周壁
３０    搬送樋
３１    開口
４０    搬送筒
４１    受入口
４２    駆動軸
４３    吐出口
５０    放出口（開放口）
５０’  開口位置
５１    後框
５１ａ  支持アーム
５１ｂ  係合部
５２    側框
５３    軸支部材
５４    連結軸
６０    支点軸
７０    係止部
７１    支承部
７２    衝合部
７３    バネ
８０    板部材
８１    ヒンジ
８２    袖壁
９０    帯板
９１    螺子筒
９２    圧接部
９３    螺子軸
【図１】
2015168296.tif 000003
【図２】
2015168296.tif 000004
【図３】
2015168296.tif 000005
【図４】
2015168296.tif 000006
【図５】
2015168296.tif 000007
【図６】
2015168296.tif 000008
【図７】
2015168296.tif 000009
【図８】
2015168296.tif 000010
【図９】
2015168296.tif 000011
【図１０】
2015168296.tif 000012
【図１１】
2015168296.tif 000013
【図１２】
2015168296.tif 000014
【図１３】
2015168296.tif 000015
【図１４】
2015168296.tif 000016
【図１５】
2015168296.tif 000017
【図１６】
2015168296.tif 000018
【図１７】
2015168296.tif 000019
【図１８】
2015168296.tif 000020